(57)【要約】マルチオーディオチャネルソースシステムからオーディオ駆動されるマルチスピーカ構成を動作するために、マルチオーディオチャネルソースから適切なオーディオチャネルが、各スピーカに割当てられる。スピーカは、アクティブパワー（active  powered）ユニットとして駆動される。特に、本発明の方法は、スピーカにオーディオデータを搬送する全体的な通信構造を用意する。本発明の方法は、構成における様々なスピーカの相対位置をローカルで確認する。この方法は、その相対位置に関して特定のスピーカに適切な指示を割当てる。その特定のスピーカにおいて、関連付けられた指示を認識する。この方法は、認識した指示を使用して、マルチスピーカ構成における当該のスピーカの位置に適切なオーディオチャネルを選択する。
2005523611.tif 000002
【特許請求の範囲】
【請求項１】
マルチオーディオチャネルソースシステムからオーディオ駆動されるマルチスピーカ構成を動作する方法において、
前記マルチオーディオチャネルソースのチャネルからの適切なオーディオチャネルを、各スピーカに割当て、同時に前記スピーカのそれぞれをアクティブパワーユニットして駆動する方法であって、
前記ソースから前記様々なスピーカにオーディオデータを搬送するための全体的な通信設備を用意する段階と、
前記マルチスピーカ構成における様々なスピーカの相対位置をローカルで確認する段階と、
特定のスピーカの相対位置に関して前記特定のスピーカに適切な指示を割当てる段階と、
前記特定のスピーカにおいて、関連付けられる指示を認識する段階と、
前記マルチスピーカ構成における当該のスピーカの位置に適切なオーディオチャネルを選択するために前記認識された指示を使用する段階と、
を有することを特徴とする方法。
【請求項２】
前記マルチスピーカ構成における全スピーカに対し前記段階を行う請求項１記載の方法。
【請求項３】
前記相対位置は、前記スピーカ内の自動位置決定手順を介して確認される請求項１記載の方法。
【請求項４】
ＧＰＳ手順に基づく請求項３記載の方法。
【請求項５】
前記手順は、民主的である請求項４記載の方法。
【請求項６】
前記相対位置は、様々なスピーカに設けられる位置テンプレートを介してユーザによって選択される請求項１記載の方法。
【請求項７】
前記設備は、電力線網、有線データネットワーク、電話機回路網、又は別のワイヤレス通信ネットワークのうちの１つである請求項１記載の方法。
【請求項８】
マルチスピーカ構成を有するオーディオ再生システムにおいて、前記オーディオ再生システムは、マルチオーディオチャネルソースシステムからオーディオ駆動されるスピーカ構成を動作するために請求項１に記載の方法を実施するよう構成され、前記マルチチャネルからの適切なオーディオチャネルを、各スピーカに割当てる割当て手段を有し、前記スピーカのそれぞれは、アクティブパワーユニットとして駆動されるよう駆動入力を有するシステムであって、
前記ソースから前記様々なスピーカにオーディオデータを搬送するための全体的な通信設備と、
前記マルチスピーカ構成における様々なスピーカの相対位置を確認するローカル確認手段と、
特定のスピーカの相対位置に関して前記特定のスピーカに適切な指示を割当てるために、前記確認手段によって供給される割当て手段と、
前記特定のスピーカにおいて関連付けられる指示を認識する認識手段と、
前記マルチスピーカ構成における当該のスピーカの位置に適切なオーディオチャネルを、前記認識された指示から選択するために、前記認識手段によって供給される選択手段と、
を有することを特徴とするシステム。
【請求項９】
前記確認手段は、前記スピーカ内の自動位置決定手順を介して前記相対位置を確認するよう構成される請求項８記載のシステム。
【請求項１０】
各スピーカは、前記構成における他のスピーカに対する相対位置を決定するＧＰＳ機能を有する請求項９記載のシステム。
【請求項１１】
前記スピーカは、様々なスピーカに設けられる位置テンプレートを介して相対位置をユーザが選択するための選択機能を有する請求項８記載のシステム。
【請求項１２】
請求項１に記載の方法を実施するために請求項８に記載のシステムにおいて使用するよう構成されるアクティブスピーカにおいて、前記マルチチャネルからの適切なオーディオチャネルを、前記スピーカに割当てる割当て手段を有し、アクティブパワーユニットとして駆動されるよう駆動入力を有するスピーカであって、
全体的な通信設備から、前記ソースから当該のスピーカへのオーディオデータを受信する搬送インタフェースと、
前記マルチスピーカ構成における前記スピーカの相対位置を確認する確認手段と、
前記スピーカの相対位置に関して前記スピーカに適切な指示を割当てるために、前記確認手段によって供給される割当て手段と、
前記スピーカにおいて、関連付けられる指示を認識する認識手段と、
前記マルチスピーカ構成における当該のスピーカの位置に適切なオーディオチャネルを、前記認識された指示から選択するために、前記認識手段によって供給される選択手段と、
を有することを特徴とするスピーカ。
【請求項１３】
前記構成における１つ以上の他のスピーカに対する相対位置を決定するＧＰＳ機能を更に有する請求項１２記載のスピーカ。
【請求項１４】
当該のスピーカに設けられる位置テンプレートを介して相対位置をユーザが選択するための選択機能を更に有する請求項１２記載のスピーカ。
【発明の詳細な説明】
【発明の詳細な説明】
【０００１】
本発明は、請求項１の前提部分に記載されるようにマルチオーディオチャネルソースシステムからオーディオ駆動されるマルチスピーカ構成を動作する方法に関する。
【０００２】
多くの現在の家庭用オーディオ及び家庭用シネマシステムにおいて、様々なスピーカが、相互接続ワイヤを介して、オーディオ制御中心又はオーディオ前置増幅器設備に接続される。このようなシステムは、様々に異なり且つ時には時間によって変化する構成の複数のスピーカを有し得る。実際にアクティブであるスピーカの数は、モノラルシステムにおける１つから、例えば、４チャネル方式、サラウンド方式、及び他の高度設定における最大８個まで比較的大きい数まで様々であり得る。スピーカを相互接続する標準的な考え方は、各スピーカボックス、省略してスピーカに、中央局に相互接続される独自の一本以上のワイヤを設けることである。このようなワイヤは、当該のスピーカに電力のみならず、情報も供給する。システム構成を変更する、更には、例えば、２チャネルから８チャネル表現といったように異なるオーディオ表現に変更する際には、システムの配線をやり直す必要がある。
【０００３】
従来技術は、既存の電力線網を用いてそのような電力線網の追加の特徴としてデータを搬送し、オーディオデータのルート設定をスピーカへの電力供給から切離す可能性を認識している。データと電力とを適切にフィルタリングすることによって、スピーカが、オーディオを増幅し出力することを可能にする。別の提案は、スピーカへのデータのワイヤレス通信を使用する。
【０００４】
しかし、発明者は、間違ったオーディオチャネルが、例えば、当該のスピーカの間違った場所及び／又は間違った配線によって、特定のスピーカに割当てられるときのユーザの難儀を認識している。
【０００５】
従って、本発明は、各スピーカがその割当てられた正しいオーディオチャネルを得ることを確実にする簡単な設定手順を可能にすることを目的とする。
【０００６】
本発明の１つの面によると、本発明は、請求項１の特徴部分に記載されるように特徴付けられる。
【０００７】
本発明は更に、マルチスピーカ構成を有し得るオーディオ再生システムに関する。このシステムは、請求項１に記載の方法を実施するよう構成される。本発明は更に、そのようなシステムにおいて用いるよう構成されるアクティブスピーカに関する。本発明の更なる有利な面は、従属項に記載する。
【０００８】
本発明のこれらの並びに更なる面及び利点は、好適な実施例の開示を参照しながら、また、特に添付図面を参照しながら以下により詳細に説明する。
【０００９】
図１は、上記からの例示的なマルチスピーカオーディオ構成を示す。尚、全てのスピーカが単一の平面上に位置付けられる必要はない。図１では、オーディオソース制御局２０が、マルチストリームオーディオ情報を生成する。低周波信号を遮断するために容量性として示す分離フィルタ３６を介して、このマルチストリームオーディオ情報は、電力線３９に重ねられる。全ての相互接続は、単線として示すが、実際には、しばしば二本のワイヤが並列で用いられる。電力線は、高周波信号を遮断するために誘導性として示す分離フィルタ３８を介して電源３４によって動力が与えられる。図示する構成では、最高条件のオーディオ再生を供給するようユーザ３２に対し位置付けられる５つのスピーカボックス２２、２４、２６、２８、及び３０がある。このために、各スピーカは、適切なオーディオチャネル情報を受信すべきである。特定の状況において、例えば、図示するような構成における５つのスピーカといったように多数のスピーカによってモノラル又はステレオオーディオを再生するときに、２つ以上のスピーカが１つのオーディオストリームを共有し得る。更に、様々なスピーカは、ウーファやトゥイータ等におけるように、実際のパワーレベル、スペクトル等において異なり得る。熟練した傾聴者は、２つ以上のスピーカの置換え、及び／又は、１つ以上のスピーカの適切な最適レンジ以外への位置ずれによって構成が誤ったものになることを認識するであろう。従って、本発明は、適切なチャンネルが特定のスピーカに割当てられることを確実にするシステムを提供し、更に、ユーザに、スピーカの再構成についての情報を供給する。オーディオストリームのための他の可能性は、有線データネットワーク、電話機回路網、又は別のワイヤレス通信ネットワークである。
【００１０】
図２は、２スピーカのＧＰＳに基づいたアプローチを示す。単純にするために、データ処理素子のみを示す。各スピーカ４０、５０は、当該のスピーカの実際の位置を決定するＧＰＳ機能４４、５４を有する。更に、スピーカは、通信機能４６、５６を有し、これは、もう一方のスピーカ、及び／又は、図１に示す構成要素２０といった中央制御ボックスと通信し得る。最後に、各スピーカ４０、５０は、レジスタセット４８、５８を含み、処理及び格納のために様々なスピーカのローカル位置を受信するローカル処理機能４２、５２を有する。これらを注意深く考慮することによって、様々なチャネルの各スピーカへの正しい割当てを行うことが可能である。実施例として、様々な位置データの処理は、図１の中央制御ボックス２０において実行され得る。ＧＰＳ及び同様の測定手段の精度に関して、サブメートル精度が実現可能であることが証明されていることは周知であり、これは、家庭用又は似たような環境においてかなり十分である。尚、特に、当該の構成についての全ての位置決定に影響を与えるシステム的な誤りは、様々であり、スピーカの互いに対する相対位置のみが関連がある。
【００１１】
２チャネル設定では、位置決定の結果は、例えば、左と右が置き換えられている、互いに遠すぎる、互いに近すぎる、及び正しいがあり得る。正しい構成は、例えば、最小２メートル、最大５メートルの２つのスピーカ間の距離を示唆し得る。
【００１２】
図３は、ＧＰＳに基づいたアプローチの動作フローチャートを示す。段階６０において、システムは起動され、必要なハードウェア及びソフトウェア機能が割当てられる。段階６４において、中央スピーカが、制御ボックス（図１における構成要素２０）によってアドレス指定される。適切である場合には、制御ボックスは、中央スピーカと共に位置付けられ得る。制御ボックスは、中央スピーカ（図１において構成要素２６）のＧＰＳ位置を決定し、更に、中央スピーカの内部コンパスによって、その方向も決定する。適切である場合には、これらのデータは、次に中央制御ボックスに伝送される。段階６８において、中央制御ボックスは、他のスピーカのうちの１つにポーリングして、その位置を受信する。一般的に、しかし、以下に制限されないが、他のスピーカのコンパス方向を再度見つける必要はない。段階７０において、中央制御部が、全てのスピーカが報告したか否かを判断する。全てのスピーカが報告したわけではない場合は、システムは、段階６８においてポーリングを続ける。
【００１３】
準備が整った場合は、段階７２において、システムは、スピーカの標準パターンに対し、判断された実際のスピーカ構成を確認する。１つには、これは、図１における外側スピーカ対２２、３０間の最適距離との比較によって決定される尺度因子を比較する。次に、中央制御部は、実際のスピーカ構成を最適構成に適合させようと試みる。例えば、スピーカ２４、２８が同一の機能を有する場合、これらのスピーカは、関連付けられる左／右オーディオデータストリームの必要な正しい割当て以外他の問題なく交換され得る。しかし、他の交換は、禁じられ得る。更に、隣接スピーカ間の距離における変動も、最適条件から異なり得る。一般的に、行われる手順は、確認が実際の構成における全てのスピーカのサブセットのみに好適に基づくことなく、スピーカの実際の全体構造が決定され、標準構成に対して確認されることにおいて、民主的である。
【００１４】
段階７４において、中央制御部は、実際の構成と最適な構成とで好適な適合が可能であるか否かを確認する。可能でない場合、システムは、段階７６において、一番外側にあるスピーカを中心に向けて又は中心から離れるよう動かすことを提案することによって、変更を提案する。段階７８において、ユーザによって行われる変更が検出されると、ポーリング手順が、図示するように段階６８から繰り返され、又は、矢印６２に示すように、段階６４から開始することによって再度挑戦し得る。しかし、構成が容認可能であるならば、様々な正しいチャネルが、段階８０において、スピーカに割当てられる。そして、段階８２において、システムは、それに応じて動作される。ここでも、段階７８における変更検出が、アクティブのままであり得る。変更がない場合は、段階７８は、待機ループとして動作する。全体的な編成は、より良い理解のために単純化されている。動作を終了する段階も省略している。更に、システムは、現時点において、最適構成を形成することを望まない場合に、無効機能も有し得る。
【００１５】
図４は、単一スピーカ用のテンプレートに基づいた設定実施例を示す。発明者は、これは、当該の問題に対し、特に、ユーザフレンドリであり且つ低費用の解決策であることを認識している。意図する配置図、即ち、テンプレートは、各スピーカボックスの後面に設けられる。スピーカが配置され得る（上から見た場合の）配置図における各位置において、ＬＣＤといった発光装置又は他の指示素子が置かれ得る。単一の押しボタン９０又は同様の素子を押すことによって、単一の発光装置９２Ａ、９２Ｂが点灯されることが可能であり、それにより、当該のボックスが位置付けられている場所を示す。押しボタン９０を押すことによって、標準シーケンスに応じて様々な位置間で切り替わる。ＬＥＤにおいて、赤色光９２Ａは、「選択された」位置を示し、一方、緑の位置９２Ｂは、「利用可能である」ことを示す。選択の後、スピーカは、この選択に応じた正しいオーディオチャネルを受信且つ出力することができる。
【図面の簡単な説明】
【００１６】
【図１】マルチスピーカオーディオ構成を示す図である。
【図２】２スピーカのＧＰＳに基づいたアプローチを示す図である。
【図３】ＧＰＳに基づいたアプローチの動作フローチャートを示す図である。
【図４】単一スピーカ用のテンプレートに基づいた設定実施例を示す図である。
【図１】
2005523611.tif 000003
【図２】
2005523611.tif 000004
【図３】
2005523611.tif 000005
【図４】
2005523611.tif 000006
【国際調査報告】
2005523611.tif 000007
2005523611.tif 000008